(57)【特許請求の範囲】
【請求項１】
レーザー光発信器と前記レーザー光発信器を装着することが可能なレーザー光発信器支持部と前記レーザー光発信器支持部を鉛直方向に上下移動することが可能で、かつ、固定することが可能な鉛直位置調整用支持部と鉛直方向の回転軸を有するターンテーブルを備えることを特徴とする陶芸用ロクロ。
【請求項２】
前記レーザー光発信器支持部は前記鉛直位置調整用支持部に装着して、前記レーザー光発信器が鉛直方向とは異なる方向に移動することが可能で、かつ、固定することが可能な請求項１に記載の陶芸用ロクロ。
【請求項３】
前記鉛直位置調整用支持部が磁力を有するベース部を備え、前記ターンテーブルを支持する強磁性物質からなる基盤上で、かつ、ターンテーブル上で創作中の創作物に接触しない位置に前記ベース部を固定することを特徴とする請求項１または請求項２に記載の陶芸用ロクロ。
【請求項４】
前記レーザー光発信器はレーザー光の照射面積を所要の形状に絞り込むためのフードを有する請求項１乃至請求項３のいずれかに記載の陶芸用ロクロ。
【請求項５】
前記レーザー光発信器はレーザー光照射を点滅制御するためのフットスイッチを有する請求項１乃至請求項４のいずれかに記載の陶芸用ロクロ。
【請求項６】
前記ターンテーブルあるいはターンテーブルにセットして使用するカメ板の外径よりも小さな内径と大きな外径のドーナツ状リングであって、表面には時計方向と反時計方向に０度から３６０度の角度目盛を有する陶芸用２分割全周分度器を、前記ターンテーブルあるいはターンテーブルにセットして使用するカメ板の外周に沿って装着させ、かつ、前記レーザー光発信器ならびにレーザー光発信器支持部と併用することを特徴とする請求項１乃至請求項５のいずれかに記載の陶芸用ロクロ。
【請求項７】
前記陶芸用２分割全周分度器は前記ドーナツ状リングを０度と１６０度乃至２２０度の２箇所でかぎ状に切断し、前記ドーナツ状リングの切断部の相対する位置の裏面に強磁性物質と磁力を有する物質を備え、切断部の接続が可能な構造を有する請求項６に記載の陶芸用ロクロ。
【請求項８】
前記陶芸用２分割全周分度器は前記ドーナツ状リングの裏面に前記ターンテーブルあるいはターンテーブルにセットして使用するカメ板の外径に相当する位置で、かつ、円周上の等間隔の位置に４乃至６個のバネ機能を有する固定具を備える請求項６または請求項７に記載の陶芸用ロクロ。
【発明の詳細な説明】
【技術分野】
【０００１】本発明は、陶芸ロクロのターンテーブル（１２）あるいはこれにセットして使用するカメ板（１３）の上で創作状態にあり、上下位置における直径が異なったり、大きな凹凸があるなどの球面体を成す創作物（２２）の表面に鉛直線を利用した図案や幾何学模様などを描画するための位置決めに使用するもので、球面体表面への鉛直線位置レーザー光標点装置並びに陶芸用２分割全周分度器を備えた陶芸用ロクロに関する。
【背景技術】
【０００２】  本発明で使用するレーザー光発信器（１）は会議、研修などで掲示物を指示するときに使用する文房具のレーザーポインタを使用するが、前記レーザーポインタはレーザー光の照射距離が長く、かつ、照射面積がある程度広がり、位置を正確に標点することが困難であり、本発明で図案や幾何学模様などの位置を標点するために使用することは問題があり、レーザー光照射窓の前面にレーザー光束を絞り込むレーザー光照射窓フード（８）を装着して、照射面積を小さくして利用するものである。【０００３】  従来から陶芸の劇作にはロクロのターンテーブル（１２）あるいはこれにセットして使用するカメ板（１３）の上で創作状態にあり、上下位置における直径が異なったり、大きな凹凸があるなどの球面体を成す創作物（２２）の表面に鉛直線を利用した図案や幾何学模様などを描画するための位置を標点することは作業者が創作物（２２）の表面に水糸を垂らしたり、薄板の定規を沿わせたり、さらに、水準器を利用するなどして正確な基準線や角度線を求めて標点していた。【０００４】  又、水平方向の位置を決めるには創作物（２２）がのった陶芸ロクロのターンテーブル（１２）あるいはこれにセットして使用するカメ板（１３）に分度器を使用して基準となる角度線をマークしたり、左右への回転角を目盛付けたりしていた。【０００５】  このような作業は長年の経験、伝統、勘などによる要素が多く、基準線や角度線は創作作業を繰り返すうちに作業者の手と粘土と水の摩擦によって磨滅して判別しにくくなり、創作物（２２）の表面に水糸や定規などが接触して削り取ったり、損傷させたりすることが多く、多数の鉛直線の位置を決めることは極めて困難であり、非常に神経を使っていた。【０００６】  これらの改善策として、本発明はレーザー光発信器（１）のレーザー光照射窓の前面に微細なスリット（９）や微細なクロス十字（１０）あるいは微細な丸穴（１１）をあけたレーザー光照射窓フード（８）を装着して、レーザー光の照射面積を極力小さなスポットにして標点位置を正確にする。【０００７】  さらに、ドーナツ状リングを２分割した全周分度器（１４、１５）は陶芸ロクロのターンテーブル（１２）あるいはこれにセットして使用するカメ板（１３）の上で創作状態にある創作物に接触しないで装着することを可能にし、左右への回転角度を正確にする。
【発明の開示】
【発明が解決しようとする課題】
【０００８】  従来、陶芸ロクロのターンテーブル（１２）あるいはこれにセットして使用するカメ板（１３）の上で創作状態にあり、上下方向で直径が異なったり、大きな凹凸があるなどの球面体を成す創作物（２２）の表面に鉛直線を利用した図案や幾何学模様などを描画するための位置決めには次のような課題があった。【０００９】  このような作業は作業者が創作物（２２）の表面に水糸を垂らしたり、薄板の定規を沿わせたり、さらに、水準器を利用するなどして標点していたが、水糸や定規が創作物（２２）に接触して表面を削り取ったり、損傷させたりすることが多かった。【００１０】  又、陶芸ロクロのターンテーブル（１２）あるいはこれにセットして使用するカメ板（１３）に付けた基準線や角度線は作業者の手と粘土と水の摩擦によって磨滅して判別することが困難になった。【００１１】  さらに、このような作業は長年の経験、伝統、勘などによる要素が多く、球面体を成す創作物（２２）の表面に鉛直線を利用した図案や幾何学模様などを描画するために多くの鉛直線の位置を決めることは非常に神経を使い、極めて困難であった。
【課題を解決するための手段】
【００１２】  本発明は、陶芸ロクロのターンテーブル（１２）あるいはこれにセットして使用するカメ板（１３）の上で創作状態にあり、上下位置における直径が異なったり、大きな凹凸があるなど球面体を成す創作物（２２）の表面に鉛直線を利用した図案や幾何学模様などを描画するために球面体表面への鉛直線位置レーザー光標点装置並びに陶芸用２分割全周分度器を使用する。
【発明の効果】
【００１３】  本発明は、陶芸用ロクロのターンテーブル（１２）あるいはこれにセットして使用するカメ板（１３）の上で創作状態にあり、上下方向で直径が異なったり、大きな凹凸があるなど球面体を成す創作物（２２）の表面に鉛直線を利用した図案や幾何学模様などを描画するのに、球面体表面への鉛直線位置レーザー光標点装置とともに、陶芸用２分割全周分度器（１４、１５）を併用することによって、創作物（２２）の表面を損傷することなく、レーザー光束の照射光跡を結ぶことにより創作物（２２）の下部基準点（Ｂ０）から立ち上がる鉛直線の位置を標点することができる。【００１４】  さらに、創作物（２２）の下部基準点（Ｂ０）は２分割全周分度器の角度を確認しながら陶芸用ロクロのターンテーブル（１２）あるいはこれにセットして使用するカメ板（１３）の回転角度を左右にずらしてゆけば、陶芸用ロクロの回転角度に対応した下部基準点（Ｂ０）を新たな下部基準点Ｂ１、Ｂ２、・・・・Ｂｎとして求めることができ、それぞれを新たな下部基準点にした鉛直線を立ち上がらせることができる。【００１５】  又、本発明の応用例として、創作物（２２）の下部基準点から鉛直線で標点した任意の高さの上部基準点を求めた後、下部基準点から斜め上方向の上部基準点を結ぶ線を描くことにより、球面体を成す創作物の表面に傾斜線を描画することが可能となる。
【発明を実施するための最良の形態】
【００１６】  図１２に球面体表面への鉛直線位置レーザー光標点装置並びに陶芸用２分割全周分度器を陶芸用電動ロクロに装着した状態の斜視図、図１０に球面体を成す創作物へのレーザー光標点方法を説明するためにＸ軸にロクロの回転角度、Ｙ軸に鉛直方向の高さを表し、装着方法並びに使用方法を示す。
【実施例１】
【００１７】  多くの陶芸ロクロのターンテーブル（１２）には中心点（Ｃ）から角度１２０度の間隔で半径線が描かれているが、本発明を利用する際は事前に陶芸ロクロのターンテーブル（１２）の上には、陶芸ロクロのターンテーブルにセットして使用するカメ板（１３）や創作物（２２）などがない状態で、ターンテーブル（１２）の中心（Ｃ点）並びにターンテーブルの最遠部（Ａ点）と最近部（Ｂ点）結ぶ直径線を付けておく。【００１８】  次に、陶芸ロクロのターンテーブル（１２）あるいはこれにセットするカメ板（１３）の外周の近くで陶芸ロクロを回転する創作作業に支障をきたさない位置で、かつ、水平な強磁性物質で構成される基盤上に本発明品である球面体表面への鉛直線位置レーザー光標点装置の磁力を有するベース部（７）を仮固定する。【００１９】  この時、レーザー光照射窓フード（８）は創作物の最上部付近の高さで鉛直位置調整用支持部（５）と鉛直位置高さ固定ネジ（６）並びにレーザー光発信器支持部（２）およびレーザー光発信器支持部固定ネジ（３）を調整して、創作物（２２）に接触しない位置で仮固定する。【００２０】  本発明品のレーザー光発信器点滅用フットスイッチ（２０）を入れてレーザー光発信器（１）を照射状態にして、仮固定してあるマグネットベース（７）で左右、レーザー光発信器支持部固定ネジ（３）を緩めて上下に振り、さらにレーザー光発信器支持部（２）の長穴により直径方向の長さ調整を繰り返して、前記「００１７」項で示したターンテーブル（１２）の直径線上の最遠部（Ａ点）、中心点（Ｃ点）、最近部（Ｂ点）を結ぶ直径線とレーザー光照射光跡が一致する位置を求めて、磁力を有するベース部（７）とレーザー光発信器支持部固定ネジ（３）を固定する。【００２１】  次に、ターンテーブルにセットして使用するカメ板（１３）の上で創作過程にある創作物（２２）が載ったカメ板（１３）を陶芸ロクロのターンテーブル（１２）にセットし、陶芸用２分割全周分度器（１４、１５）のかぎ状切断部（１６）の相対する接合部分を嵌合して各端部の裏面に付けた磁力を有する物質、例えば、永久磁石（１７）と強磁性物質、例えば、鉄片（１８）を密着させ、バネ機能を有する４乃至６個の固定具（１９）を陶芸ロクロターンテーブル（１２）あるいはこれにセットして使用するするカメ板（１３）の外周部分に均等に蜜着させて、陶芸ロクロターンテーブル（１２）あるいはこれにセットして使用するカメ板（１３）を嵌合させて、陶芸ロクロの回転中心軸に一致させる。【００２２】  次に、陶芸ロクロのターンテーブル（１２）あるいはこれにセットして使用するするカメ板（１３）とその上にある創作物（２２）の下部基準点（Ｂ０）を決定して、レーザー光発信器支持部固定ネジ（３）を少し緩めてレーザー光照射位置を下向きにして創作物（２２）の下部基準点（Ｂ０）を照射した後、レーザー光発信器支持部を少し上向きにして、レーザー光照射位置を少し上方にずらして球面体を成す創作物の表面にレーザー光照射位置（Ａ１）をマークし、この操作を繰返してレーザー光照射光跡Ａ１、Ａ２、・・・・Ａｎをつないでいけば、創作物（２２）の下部基準点（Ｂ０）からの鉛直線位置を描画することができる。【００２３】  以下、陶芸ロクロのターンテーブル（１２）あるいはこれにセットして使用するカメ板（１３）とその上にある創作物（２２）を陶芸用２分割全周分度器（１４、１５）の角度を確認しながら、任意の角度を回転させて創作物（２２）の下部基準点（Ｂ１）を次の角度の新たな下部基準点Ｂ１、Ｂ２、・・・Ｂｎへ順次ずらして、前記「００２２」項の手順を繰り返すことにより、創作物（２２）の表面に多数の鉛直線を描画することができる。【００２４】  なお、球面体を成す創作物（２２）への標点位置を説明するために、図１０に創作物（２２）の高さ方向をＸ軸、陶芸ロクロの回転角度をＹ軸として、平面的に展開した。陶芸ロクロの回転角度０度の時、下部基準点（Ｂ０）から順次，上方へレーザー光束を照射した位置をＡ１、Ａ２、・・・・Ａｎとする。次に陶芸ロクロを任意の角度θを回転させて、新たな下部基準点をＢ１、Ｂ２、・・・・Ｂｎと移動させて、その都度、この新たな基準点から上方へレーザー光束を照射した位置をＡ１、Ａ２、・・・・Ａｎとする。【００２５】  このようにして、図１０に記載するように座標（Ｂ０，Ａ１）、座標（Ｂ１，Ａ２）・・・・・を求め、Ｂ０から上方のＡ１、Ａ２、・・・・Ａｎを結べば、Ｂ０から立ち上がる鉛直線となる。【００２６】  次に、Ｂ０から座標（Ｂ１，Ａ１）、座標（Ｂ１，Ａ１）から座標（Ｂ０，Ａ２）・・・・・のように基準点の斜め上方の交点を結べば、球面体を成す創作物（２２）の表面に傾斜線の幾何学模様を描画することができる。
【産業上の利用可能性】
【００２７】  陶芸ロクロのターンテーブルあるいはこれにセットして使用するカメ板とその上で創作状態にあり、上下位置における直径が異なったり、大きな凹凸があるなどの球面体を成す創作物の表面に鉛直線位置レーザー光標点装置と陶芸用２分割全周分度器を併用して、創作物の表面を削り取ったり、損傷させたりすることなく、鉛直線あるいは傾斜線を利用した図案や幾何学模様などを描画するのに必要な標点を行うものである。
【図面の簡単な説明】
【００２８】
【図１】球面体表面への鉛直線位置レーザー光標点装置並びに陶芸用２分割全周分度器の平面図である。
【図２】球面体表面への鉛直線位置レーザー光標点装置並びに陶芸用２分割全周分度器の側面図である。
【図３】陶芸用２分割全周分度器の平面図である。
【図４】陶芸用２分割全周分度器をロクロのターンテーブルに装着した場合の陶芸用２分割全周分度器とターンテーブルの直径との関係を示す側面図である。
【図５】レーザー光発信器の平面図である。
【図６】レーザー光発信器の側面図である。
【図７】レーザー光発信器フードの正面図で、レーザー光照射窓がスリットの場合である。
【図８】レーザー光発信器フードの正面図で、レーザー光照射窓がクロス十字の場合である。
【図９】レーザー光発信器フードの正面図で、レーザー光照射窓が小穴の場合である。
【図１０】球面体表面のロクロ回転角度と創作物の鉛直高さの標点位置の座標例である。（説明図）
【図１１】陶芸用２分割全周分度器の斜視図である。
【図１２】球面体表面への鉛直線位置レーザー光標点装置並びに陶芸用２分割全周分度器を陶芸用電動ロクロに装着した場合の斜視図である。
【符号の説明】
【００２９】１    レーザー光発信器
２    レーザー光発信器支持部
３    レーザー光発信器支持部固定ネジ
４    鉛直主柱
５    鉛直位置調整用支持部
６    鉛直位置高さ固定ネジ
７    磁力を有するベース部
８    レーザー光照射窓フード
９    レーザー光照射窓フードの微細なスリットの例
１０  レーザー光照射窓フードの微細なクロス十字の例
１１  レーザー光照射窓フードの微細な丸穴の例
１２  陶芸用ロクロのターンテーブル
１３  陶芸用ロクロのターンテーブルにセットして使用するカメ板
１４  陶芸用２分割全周割分度器のひとつ
１５  陶芸用２分割全周割分度器のひとつ
１６  陶芸用２分割全周分度器のかぎ状切断部
１７  磁力を有する物質  （例  永久磁石）
１８  強磁性物質  （例  鉄片）
１９  バネ機能を有する固定具
２０  レーザー光発信器点滅用フットスイッチ
２１  レーザー光発信器点滅用リード線
２２  創作物（概略外形）
【要約】
【課題】陶芸ロクロで創作する上下位置で直径が異なったり、凹凸があるなど球面体をなす創作物の表面に鉛直線や傾斜線を利用した図案や幾何学模様などを描画するときの位置決めに定規を使用して、創作物の表面を削り取って、損傷させる。
【解決手段】陶芸ロクロのターンテーブル（１２）あるいはこれにセットして使用するするカメ板（１３）の上で球面体を成す創作物の表面に図案や幾何学模様などを描画するのに必要な鉛直線や傾斜線の位置決めに鉛直線位置レーザー光標点装置並びにドーナツ状のリングを２分割し、かつ、嵌合が容易な陶芸用２分割全周分度器を使用する。
【選択図】図１２【図１】
0003684481.tif 000002
【図２】
0003684481.tif 000003
【図３】
0003684481.tif 000004
【図４】
0003684481.tif 000005
【図５】
0003684481.tif 000006
【図６】
0003684481.tif 000007
【図７】
0003684481.tif 000008
【図８】
0003684481.tif 000009
【図９】
0003684481.tif 000010
【図１０】
0003684481.tif 000011
【図１１】
0003684481.tif 000012
【図１２】
0003684481.tif 000013